(57)【要約】【課題】ユーザーの望む画像形成を効率的に行うことができる画像形成装置を提供する。【解決手段】複合機１１は、パンチ処理部２４と、判断部３１と、パンチ処理実行制御部３２とを備える。パンチ処理部２４は、画像形成部１５により画像が形成された用紙にパンチ処理を実行する。判断部３１は、画像読み取り部１４により読み取られた複数の原稿の画像の中にパンチ処理の跡がある原稿があるか否かを判断する。パンチ処理実行制御部３２は、複数の原稿のうち、判断部３１によりパンチ処理の跡があると判断された原稿については、画像形成部１５による画像形成の後にパンチ処理の跡に沿ってパンチ処理部２４によるパンチ処理を実行し、判断部３１によりパンチ処理の跡がないと判断された原稿については、画像形成部１５による画像形成の後にパンチ処理部２４によるパンチ処理を実行しないよう制御する。【選択図】図３
2018036493.tif 000002
【特許請求の範囲】
【請求項１】
読み取られた複数の原稿の画像を基に用紙に画像を形成する画像形成装置であって、
複数の原稿の画像を読み取る画像読み取り部と、
前記画像読み取り部により読み取られた複数の前記原稿の画像を基に用紙に画像を形成する画像形成部と、
前記画像形成部により前記画像が形成された前記用紙が排出される排出トレイと、
前記画像形成部により前記画像が形成された前記用紙に後処理を実行する後処理部と、
前記後処理部により後処理がなされた前記用紙の排出を制御する排出制御部と、
前記画像読み取り部により読み取られた複数の前記原稿の画像の中に後処理の跡がある前記原稿があるか否かを判断する判断部と、
複数の前記原稿のうち、前記判断部により前記後処理の跡があると判断された前記原稿については、前記画像形成部による画像形成の後に前記後処理の跡に沿って前記後処理部による後処理を実行し、前記判断部により前記後処理の跡がないと判断された前記原稿については、前記画像形成部による画像形成の後に前記後処理部による後処理を実行しないよう制御する後処理実行制御部とを備える、画像形成装置。
【請求項２】
前記排出トレイは、複数設けられており、
前記排出制御部は、前記後処理部により後処理が実行された前記用紙と、前記後処理部により後処理が実行されていない前記用紙とを異なる前記排出トレイに排出するよう制御する、請求項１に記載の画像形成装置。
【請求項３】
前記排出制御部は、前記後処理部による後処理の種類に応じて前記用紙を排出トレイに排出するよう制御する、請求項１または２に記載の画像形成装置。
【請求項４】
前記後処理の種類は、前記後処理の数、および前記後処理の位置のうちの少なくともいずれか一つを含む、請求項３に記載の画像形成装置。
【請求項５】
前記排出制御部による前記用紙の前記排出トレイへの排出方法を受け付ける受け付け部をさらに備え、
前記排出制御部は、前記受け付け部により受け付けられた前記排出トレイへの排出方法に応じて、前記用紙を排出する、請求項１〜４のいずれか１項に記載の画像形成装置。
【請求項６】
前記後処理部による後処理は、前記用紙にパンチ孔を開けるパンチ処理、および複数の前記用紙をステープルで綴じるステープル処理のうちの少なくともいずれか一つを含む、請求項１〜５のいずれか１項に記載の画像形成装置。
【発明の詳細な説明】
【技術分野】
【０００１】
この発明は、画像形成装置に関するものである。
【背景技術】
【０００２】
複合機に代表される画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
ここで、読み取られる原稿については、原稿の端部にパンチ孔が開けられているものがある。パンチ孔が開けられた原稿の画像のコピーをする場合、出力する用紙に後処理として同様にパンチ孔を形成したいという要望がある。パンチ孔が開けられた原稿を読み取って画像を形成する際の画像形成に関する技術が、特開２０１０−１０９６号公報（特許文献１）に開示されている。
【０００４】
特許文献１に開示の画像形成装置は、原稿の画像を読み取る読み取り手段と、前記読み取り手段によって読み取られた画像データを記録紙に画像形成する画像形成手段と、前記画像形成手段によって画像形成された記録紙に複数の配列パターンの何れかでパンチ穴を形成するパンチ手段と、前記読み取り手段によって読み取られた画像データ上の前記パンチ穴の前記配列パターンを検出するパターン検出手段と、前記パターン検出手段の検出結果に従って前記パンチ手段で実行すべきパンチ処理方法を決定する決定手段と、を備えることを特徴としている。
【先行技術文献】
【特許文献】
【０００５】
【特許文献１】特開２０１０−１０９６号公報
【発明の概要】
【発明が解決しようとする課題】
【０００６】
特許文献１に開示の技術では、パンチ処理がなされている原稿の画像と同じ配列パターンのパンチ孔を記録紙に形成することしかできない。そうすると、一束の原稿において、パンチ処理がなされている原稿とパンチ処理がなされていない原稿が混在した場合にユーザーの手を煩わせずに対応することが困難であり、ユーザーの望む画像形成ができないこととなる。
【０００７】
この発明の目的は、ユーザーの望む画像形成を効率的に行うことができる画像形成装置を提供することである。
【課題を解決するための手段】
【０００８】
この発明に係る画像形成装置は、読み取られた複数の原稿の画像を基に用紙に画像を形成する。画像形成装置は、画像読み取り部と、画像形成部と、排出トレイと、後処理部と、排出制御部と、判断部と、後処理実行制御部とを備える。画像読み取り部は、複数の原稿の画像を読み取る。画像形成部は、画像読み取り部により読み取られた複数の原稿の画像を基に用紙に画像を形成する。排出トレイは、画像形成部により画像が形成された用紙が排出される。後処理部は、画像形成部により画像が形成された用紙に後処理を実行する。排出制御部は、後処理部により後処理がなされた用紙の排出を制御する。判断部は、画像読み取り部により読み取られた複数の原稿の画像の中に後処理の跡がある原稿があるか否かを判断する。後処理実行制御部は、複数の原稿のうち、判断部により後処理の跡があると判断された原稿については、画像形成部による画像形成の後に後処理の跡に沿って後処理部による後処理を実行し、判断部により後処理の跡がないと判断された原稿については、画像形成部による画像形成の後に後処理部による後処理を実行しないよう制御する。
【発明の効果】
【０００９】
このような画像形成装置によれば、複数の原稿のうち、判断部により後処理の跡があると判断された原稿については、画像形成部による画像形成の後に後処理の跡に沿って後処理部による後処理を実行する。また、複数の原稿のうち、判断部により後処理の跡がないと判断された原稿については、画像形成部による画像形成の後に後処理部による後処理を実行しないよう制御する。そうすると、後処理がなされている原稿と後処理がなされていない原稿とが混在していた場合にも、原稿の画像に基づいて後処理の内容も含めて忠実に用紙に画像を形成することができる。この場合、予めユーザーが原稿の順序を入れ替えたりする必要はない。したがって、ユーザーの望む画像形成を効率的に行うことができる。
【図面の簡単な説明】
【００１０】
【図１】この発明の一実施形態に係る画像形成装置を複合機に適用した場合の複合機の外観を示す概略図である。
【図２】図１に示す複合機の構成を示すブロック図である。
【図３】制御部の構成を示すブロック図である。
【図４】一部の原稿について同じパンチ処理がなされた複数の原稿の画像を読み取って用紙に画像を形成する場合の処理の流れを示すフローチャートである。
【図５】ＡＤＦにセットされる四枚の原稿を示す図である。
【図６】受け付け部によりパンチ処理の方法等を受け付ける表示画面の一例を示す図である。
【図７】排出先が変更されて排出された用紙を示す図である。
【図８】一部の原稿について異なるパンチ処理がなされた複数の原稿の画像を読み取って用紙に画像を形成する場合の処理の流れを示すフローチャートである。
【図９】ＡＤＦにセットされる五枚の原稿を示す図である。
【図１０】受け付け部によりパンチ処理の方法等を受け付ける表示画面の一例を示す図である。
【図１１】排出先が変更されて排出された用紙を示す図である。
【発明を実施するための形態】
【００１１】
以下、この発明の実施の形態を説明する。図１は、この発明の一実施形態に係る画像形成装置を複合機に適用した場合の複合機１１の外観を示す概略図である。図２は、図１に示す複合機１１の構成を示すブロック図である。
【００１２】
図１および図２を参照して、複合機１１は、画像処理に関し、複写機能、プリンター機能、ファクシミリ機能等、複数の機能を有する。複合機１１は、制御部１２と、操作部１３と、画像読み取り部１４と、画像形成部１５と、給紙カセット１６と、ハードディスク１７と、ネットワーク（図示せず）と接続するためのネットワークインターフェース部１８と、六つの排出トレイ２３ａ、２３ｂ、２３ｃ、２３ｄ、２３ｅ、２３ｆと、後処理部としてのパンチ処理部２４とを備える。
【００１３】
制御部１２は、複合機１１全体の制御を行う。なお、制御部１２は、ＣＰＵ等から構成されており、一時的にデータを記憶する主記憶メモリ１９を含む。操作部１３は、複合機１１側から発信される情報やユーザーの入力内容を表示する表示部としてのタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または図示しない載置台上にセットされた原稿の画像を読み取る。給紙カセット１６は、複数設けられており、それぞれ複数枚の用紙をその内部に収納することができる。画像形成部１５は、画像読み取り部１４により読み取られた原稿の画像データや図示しないネットワークを介して送信された画像データを基に、給紙カセット１６から搬送されてきた用紙に画像を形成する。画像が形成された用紙は、六つの排出トレイ２３ａ〜２３ｆのうちのいずれかに排出される。なお、画像が形成された用紙については、必要や要求に応じて、用紙の端部にパンチ孔を開けるパンチ処理や、複数の用紙をまとめて端部をステープルで綴じるステープル処理等の後処理がなされる。パンチ処理部２４は、画像が形成された用紙の端部にパンチ孔を開ける処理を行う。ハードディスク１７は、送信された画像データや入力された画像形成条件等、画像形成に関するデータを記憶する。
【００１４】
次に、複合機１１に備えられる制御部１２の構成について説明する。図３は、制御部１２の構成を示すブロック図である。図３を参照して、制御部１２は、判断部３１と、後処理実行制御部としてのパンチ処理実行制御部３２と、排出制御部３３と、受け付け部３４とを備える。判断部３１は、画像読み取り部１４により読み取られた複数の原稿の画像の中に後処理の跡としてパンチ処理の跡がある原稿があるか否かを判断する。パンチ処理実行制御部３２は、複数の原稿のうち、判断部３１によりパンチ処理の跡があると判断された原稿については、画像形成部１５による画像形成の後にパンチ処理の跡に沿ってパンチ処理部２４によるパンチ処理を実行し、判断部３１によりパンチ処理の跡がないと判断された原稿については、画像形成部１５による画像形成の後にパンチ処理部２４によるパンチ処理を実行しないよう制御する。排出制御部３３は、パンチ処理部２４によりパンチ処理がなされた用紙の排出を制御する。受け付け部３４は、パンチ処理の方法や排出制御部３３による用紙の排出トレイ２３ａ〜２３ｆへの排出方法を受け付ける。これらの構成については、後に詳述する。
【００１５】
次に、複合機１１を用いて、一部の原稿についてパンチ処理がなされた複数の原稿の画像を読み取って用紙に画像を形成する場合について説明する。図４は、一部の原稿について同じパンチ処理がなされた複数の原稿の画像を読み取って用紙に画像を形成する場合の処理の流れを示すフローチャートである。ここでは、四枚の原稿のうち、二枚の原稿について同じパンチ処理が施されており、原稿の画像を基に用紙にコピーをする場合について説明する。
【００１６】
図４を参照して、まず、ユーザーは、四枚の原稿をＡＤＦ２２にセットする。そうすると、原稿のセットが検知される（図４において、ステップＳ１１、以下、「ステップ」を省略する）。
【００１７】
図５は、ＡＤＦ２２にセットされる四枚の原稿４１ａ、４１ｂ、４１ｃ、４１ｄを示す図である。図５を参照して、原稿４１ａ、４１ｂ、４１ｃ、４１ｄの順に原稿がセットされる。一枚目の原稿４１ａには、二つのパンチ孔４２ａ、４２ｂが開けられている。四枚目の原稿４１ｄについても、二つのパンチ孔４３ａ、４３ｂが開けられている。それぞれの原稿４１ａ、４１ｄにおけるパンチ孔４２ａ、４２ｂ、４３ａ、４３ｂの位置は同じである。なお、二枚目の原稿４１ｂ、および三枚目の原稿４１ｃには、パンチ孔が開けられていない。このような原稿４１ａ〜４１ｄがＡＤＦ２２にセットされる。
【００１８】
そして、原稿４１ａ〜４１ｄのセットを検知すると、パンチ処理の方法、および排出方法、具体的には、パンチ孔の有無に応じて排出先や排出する順序を変更するか否か等を受け付け部３４により受け付ける（Ｓ１２）。
【００１９】
図６は、受け付け部３４によりパンチ処理の方法等を受け付ける表示画面２１の一例を示す図である。図６を参照して、表示画面２１には、「パンチ処理を一括で行いますか？」との問い合わせのメッセージ４６ａと、「はい」と示されており、押下によりパンチ処理を一括で行う選択キー４７ａと、「いいえ」と示されており、押下によりパンチ処理を一括で行わない選択キー４８ａと、「排出先をパンチ処理の有無で変更しますか？」との問い合わせのメッセージ４６ｂと、「はい」と示されており、押下によりパンチ処理の有無に応じて排出先を変更させる選択キー４７ｂと、「いいえ」と示されており、押下によりパンチ処理の有無に関わらず排出先を変更しない選択キー４８ｂと、「排出順をパンチ処理の有無で変更しますか？」との問い合わせのメッセージ４６ｃと、「はい」と示されており、押下によりパンチ処理の有無で排出順を変更させる選択キー４７ｃと、「いいえ」と示されており、押下によりパンチ処理の有無で排出順を変更しない選択キー４８ｃとが表示されている。
【００２０】
ここでは、ユーザーが、選択キー４８ａ、４８ｂ、４８ｃを押下する場合について説明する。すなわち、パンチ処理を一括で行わず、排出先をパンチ処理の有無で変更せず、排出順もパンチ処理の有無で変更しない旨を要求する。そうすると、受け付け部３４は、選択キー４８ａ、４８ｂ、４８ｃの押下を検知し、受け付ける。
【００２１】
その後、操作部１３のスタートキー２６の押下を検知すると、原稿４１ａ〜４１ｄの画像の読み取りを開始する（Ｓ１３）。この場合、ＡＤＦ２２によって一枚ずつ原稿４１ａ〜４１ｄを画像読み取り部１４により読み取られる読み取り位置まで搬送する。そして、順に全ての原稿４１ａ〜４１ｄの画像を一旦読み取る。読み取られた原稿４１ａ〜４１ｄの画像のデータについては、主記憶メモリ１９やハードディスク１７に一旦記憶される。
【００２２】
そして、読み取られた原稿４１ａ〜４１ｄの画像について、パンチ処理を一括で行うか否かを判断する（Ｓ１４）。この場合、選択キー４８ａの押下を検知しており、パンチ処理を一括で行わない旨の要求がなされているため、パンチ処理をいわゆる個別に行う（Ｓ１４において、ＮＯ）。すなわち、判断部３１は、画像読み取り部１４により読み取られた四枚の原稿４１ａ〜４１ｄの画像の中にパンチ処理の跡がある原稿があるか否かを判断する。そして、パンチ処理実行制御部３２は、四枚の原稿４１ａ〜４１ｄのうち、判断部３１によりパンチ処理の跡があると判断された原稿４１ａ、４１ｄについては、画像形成部１５による画像形成の後にパンチ処理の跡に沿ってパンチ処理部２４によるパンチ処理を実行し、判断部３１によりパンチ処理の跡がないと判断された原稿４１ｂ、４１ｃについては、画像形成部１５による画像形成の後にパンチ処理部２４によるパンチ処理を実行しないよう制御する。
【００２３】
次に、排出先をパンチ処理の有無で変更するか否かが判断される（Ｓ１５）。この場合、選択キー４８ｂの押下を検知しており、排出先をパンチ処理の有無で変更しない旨の要求がなされているため、排出制御部３３は、パンチ処理の有無に応じて排出先を変更しない（Ｓ１５において、ＮＯ）。
【００２４】
次に、排出順をパンチ処理の有無で変更するか否かが判断される（Ｓ１６）。この場合、選択キー４８ｃの押下を検知しており、排出順をパンチ処理の有無で変更しない旨の要求がなされているため、排出制御部３３は、パンチ処理の有無に応じて排出順を変更しない（Ｓ１６において、ＮＯ）。
【００２５】
そして、原稿４１ａ〜４１ｄを読み取った順でコピーを行い、排出する（Ｓ１７）。すなわち、排出制御部３３は、このように排出を制御する。この場合、原稿４１ａ、４１ｄの画像については、画像を形成した用紙、すなわち、コピーを行った用紙に、それぞれ同様のパンチ処理部２４によるパンチ処理を行って排出する。具体的な処理としては、読み取られた原稿４１ａ〜４１ｄの画像について、パンチ処理の跡が原稿４１ａ〜４１ｄの画像にあるか否かを一枚ずつ判断する。この場合、判断部３１により、一枚目、四枚目の原稿４１ａ、４１ｄについて、パンチ処理の跡があると判断される。そして、パンチ処理実行制御部３２は、これら原稿４１ａ、４１ｄの画像をコピーした後、同様のパンチ孔を開けるパンチ処理を施す。なお、排出先は、例えば、一つの排出トレイ２３ａである。
【００２６】
次に、選択キー４８ａ、４８ｂ、４７ｃが押下された場合について説明する。この場合、排出制御部３３により、排出順をパンチ処理の有無で変更して排出される（Ｓ１６において、ＹＥＳ、Ｓ１８）。原稿４１ａ、４１ｄについては、それぞれ二つのパンチ孔４２ａ、４２ｂ、４３ａ、４３ｂが開けられていると判断される。そして、例えば、パンチ孔の少ない順であって読み取られた順、具体的には、原稿４１ｂ、４１ｃ、４１ａ、４１ｄの順にコピーが行われ、排出される。排出先については、一つの排出トレイ２３ａである。なお、原稿４１ａ、４１ｄの画像をコピーする際には、上記と同様に、パンチ孔を開けるパンチ処理を施して、排出される。
【００２７】
次に、選択キー４８ａ、４７ｂが押下された場合について説明する。この場合、排出制御部３３により、排出先をパンチ処理の有無で変更して排出される（Ｓ１５において、ＹＥＳ、Ｓ１９）。原稿４１ａ、４１ｄについては、それぞれ二つのパンチ孔４２ａ、４２ｂ、４３ａ、４３ｂが開けられていると判断される。そして、排出先については、パンチ孔４２ａ、４２ｂ、４３ａ、４３ｂが開けられている原稿４１ａ、４１ｄに対してコピーされた用紙が排出トレイ２３ａ、パンチ孔が開けられていない原稿４１ｂ、４１ｃに対してコピーされた用紙が異なる排出トレイ２３ｂに排出される。
【００２８】
図７は、排出先が変更されて排出された用紙を示す図である。図７を参照して、一段目の排出トレイ２３ａには、一枚目の原稿４１ａをコピーした用紙５１ａ、および四枚目の原稿４１ｄをコピーした用紙５１ｄが排出される。これらの用紙５１ａ、５１ｄには、パンチ処理部２４により、二つのパンチ孔５２ａ、５２ｂ、５３ａ、５３ｂがそれぞれ開けられている。二段目の排出トレイ２３ｂには、二枚目の原稿４１ｂをコピーした用紙５１ｂ、および三枚目の原稿４１ｃをコピーした用紙５１ｃが排出される。用紙５１ｂ、５１ｃには、パンチ孔は開けられていない。このようにして、用紙５１ａ〜５１ｄが二つの排出トレイ２３ａ、２３ｂにそれぞれ排出される。
【００２９】
なお、選択キー４８ａが押下され、受け付け部３４が選択キー４８ａの押下を検知していた場合には、排出制御部３３により、全ての用紙５１ａ〜５１ｄが、例えば、一段目の排出トレイ２３ａに排出される。この時、原稿４１ａに開けられた二つのパンチ孔４２ａ、４２ｂと同じ位置に全ての用紙５１ａ〜５１ｄが一括してパンチ処理が施され、排出される（Ｓ１４において、ＹＥＳ、Ｓ２０）。
【００３０】
次に、複合機１１を用いて、一部の原稿について異なるパンチ処理がなされた複数の原稿の画像を読み取って用紙に画像を形成する場合について説明する。図８は、一部の原稿について異なるパンチ処理がなされた複数の原稿の画像を読み取って用紙に画像を形成する場合の処理の流れを示すフローチャートである。ここでは、五枚の原稿のうち、二枚の原稿について同じパンチ処理が施されており、一枚の原稿について異なるパンチ処理が施されている。これら五枚の原稿の画像を基に用紙にコピーをする場合について説明する。
【００３１】
図８を参照して、まず、ユーザーは、五枚の原稿をＡＤＦ２２にセットする。そうすると、原稿のセットが検知される（Ｓ２１）。
【００３２】
図９は、ＡＤＦ２２にセットされる五枚の原稿４１ａ、４１ｂ、４１ｃ、４１ｄ、４１ｅを示す図である。図９を参照して、原稿４１ａ、４１ｂ、４１ｃ、４１ｄ、４１ｅの順に原稿がセットされる。一枚目の原稿４１ａは、二つのパンチ孔４２ａ、４２ｂが開けられている。四枚目の原稿４１ｄについても、二つのパンチ孔４３ａ、４３ｂが開けられている。それぞれの原稿４１ａ、４１ｄにおけるパンチ孔４２ａ、４２ｂ、４３ａ、４３ｂの位置は同じである。五枚目の原稿４１ｅは、六つのパンチ孔４４ａ、４４ｂ、４４ｃ、４４ｄ、４４ｅ、４４ｆが開けられている。なお、二枚目の原稿４１ｂ、および三枚目の原稿４１ｃには、パンチ孔が開けられていない。このような原稿４１ａ〜４１ｅがＡＤＦ２２にセットされる。
【００３３】
そして、原稿４１ａ〜４１ｅのセットを検知すると、パンチ処理の方法、および排出方法、具体的には、パンチ孔の種類に応じて排出先や排出する順序を変更するか否かを受け付け部３４により受け付ける（Ｓ２２）。
【００３４】
図１０は、受け付け部３４によりパンチ処理の方法等を受け付ける表示画面２１の一例を示す図である。図１０を参照して、表示画面２１には、「パンチ処理を一括で行いますか？」との問い合わせのメッセージ４６ｄと、「はい」と示されており、押下によりパンチ処理を一括で行う選択キー４７ｄと、「いいえ」と示されており、押下によりパンチ処理を一括で行わない選択キー４８ｄと、「排出先をパンチ処理の種類で変更しますか？」との問い合わせのメッセージ４６ｅと、「はい」と示されており、押下によりパンチ処理の種類に応じて排出先を変更させる選択キー４７ｅと、「いいえ」と示されており、押下によりパンチ処理の種類に関わらず排出先を変更しない選択キー４８ｅと、「排出順をパンチ処理の種類で変更しますか？」との問い合わせのメッセージ４６ｆと、「はい」と示されており、押下によりパンチ処理の種類で排出順を変更させる選択キー４７ｆと、「いいえ」と示されており、押下によりパンチ処理の種類で排出順を変更しない選択キー４８ｆとが表示されている。
【００３５】
ここでは、ユーザーが、選択キー４８ｄ、４８ｅ、４８ｆを押下する場合について説明する。すなわち、パンチ処理を一括で行わず、排出先をパンチ処理の種類で変更せず、排出順もパンチ処理の種類で変更しない旨を要求する。そうすると、受け付け部３４は、選択キー４８ｄ、４８ｅ、４８ｆの押下を検知する。
【００３６】
その後、操作部１３のスタートキー２６の押下を検知すると、原稿４１ａ〜４１ｅの画像の読み取りを開始する（Ｓ２３）。この場合、ＡＤＦ２２によって一枚ずつ原稿４１ａ〜４１ｅを画像読み取り部１４により読み取られる読み取り位置まで搬送する。そして、順に全ての原稿４１ａ〜４１ｅの画像を一旦読み取る。読み取られた原稿４１ａ〜４１ｅの画像のデータについては、主記憶メモリ１９やハードディスク１７に一旦記憶される。
【００３７】
そして、読み取られた原稿４１ａ〜４１ｅの画像について、パンチ処理を一括で行うか否かを判断する（Ｓ２４）。この場合、選択キー４８ｄの押下を検知しており、パンチ処理を一括で行わない旨の要求がなされているため、パンチ処理をいわゆる個別に行う（Ｓ２４において、ＮＯ）。すなわち、判断部３１は、画像読み取り部１４により読み取られた五枚の原稿４１ａ〜４１ｅの画像の中にパンチ処理の跡がある原稿があるか否かを判断する。そして、パンチ処理実行制御部３２は、五枚の原稿４１ａ〜４１ｅのうち、判断部３１によりパンチ処理の跡があると判断された原稿４１ａ、４１ｄ、４１ｅについては、画像形成部１５による画像形成の後にパンチ処理の跡に沿ってパンチ処理部２４によるパンチ処理を実行し、判断部３１によりパンチ処理の跡がないと判断された原稿４１ｂ、４１ｃについては、画像形成部１５による画像形成の後にパンチ処理部２４によるパンチ処理を実行しないよう制御する。
【００３８】
次に、排出先をパンチ処理の種類で変更するか否かが判断される（Ｓ２５）。この場合、選択キー４８ｅの押下を検知しており、排出先をパンチ処理の種類で変更しない旨の要求がなされているため、排出制御部３３は、パンチ処理の種類に応じて排出先を変更しない（Ｓ２５において、ＮＯ）。
【００３９】
次に、排出順をパンチ処理の種類で変更するか否かが判断される（Ｓ２６）。この場合、選択キー４８ｆの押下を検知しており、排出順をパンチ処理の種類で変更しない旨の要求がなされているため、排出制御部３３は、パンチ処理の種類に応じて排出順を変更しない（Ｓ２６において、ＮＯ）。
【００４０】
そして、原稿４１ａ〜４１ｅを読み取った順でコピーを行い、排出する（Ｓ２７）。すなわち、排出制御部３３は、このように排出を制御する。この場合、原稿４１ａ、４１ｄ、４１ｅの画像については、画像を形成した用紙、すなわち、コピーを行った用紙に、それぞれ同様のパンチ処理部２４によるパンチ処理を行って排出する。具体的な処理としては、読み取られた原稿４１ａ〜４１ｅの画像について、パンチ処理の跡が原稿４１ａ〜４１ｅの画像にあるか否かを一枚ずつ判断する。この場合、判断部３１により、一枚目、四枚目、五枚目の原稿４１ａ、４１ｄ、４１ｅについて、パンチ処理の跡があると判断される。具体的には、原稿４１ａ、および原稿４１ｄについては、二つのパンチ孔４２ａ、４２ｂ、４３ａ、４３ｂが同じ位置で開けられていると判断される。原稿４１ｅについては、六つのパンチ孔４４ａ〜４４ｆが開けられていると判断される。すなわち、原稿４１ａ、４１ｄの画像については、パンチ処理の種類が同じであると判断され、原稿４１ｅの画像については、パンチ処理の種類が、原稿４１ａ、４１ｄの画像と異なると判断される。そして、これら原稿４１ａ、４１ｄ、４１ｅの画像をコピーする際に、それぞれ同様のパンチ孔を開けるパンチ処理を施す。なお、排出先は、例えば、一つの排出トレイ２３ａである。
【００４１】
次に、選択キー４８ｄ、４８ｅ、４７ｆが押下された場合について説明する。この場合、排出制御部３３により、排出順をパンチ処理の種類で変更して排出される（Ｓ２６において、ＹＥＳ、Ｓ２８）。原稿４１ａ、４１ｄについては、それぞれ二つのパンチ孔４２ａ、４２ｂ、４３ａ、４３ｂが開けられていると判断される。また、原稿４１ｅについては、六つのパンチ孔４４ａ〜４４ｆが開けられていると判断される。そして、例えば、パンチ孔の少ない順であって読み取られた順、具体的には、原稿４１ｂ、４１ｃ、４１ａ、４１ｄ、４１ｅの順にコピーが行われ、排出される。排出先については、一つの排出トレイ２３ａである。なお、原稿４１ａ、４１ｄ、４１ｅの画像をコピーする際には、上記と同様に、パンチ孔を開けるパンチ処理を施して、排出される。
【００４２】
次に、選択キー４８ｄ、４７ｅが押下された場合について説明する。この場合、排出制御部３３により、排出先をパンチ処理の種類で変更して排出される（Ｓ２５において、ＹＥＳ、Ｓ２９）。原稿４１ａ、４１ｄについては、それぞれ二つのパンチ孔４２ａ、４２ｂ、４３ａ、４３ｂが開けられていると判断される。また、原稿４１ｅについては、六つのパンチ孔４４ａ〜４４ｆが開けられていると判断される。そして、排出先については、パンチ孔４２ａ、４２ｂ、４３ａ、４３ｂが開けられている原稿４１ａ、４１ｄについては、コピーされた用紙が排出トレイ２３ａ、パンチ孔４４ａ〜４４ｆが開けられている原稿４１ｅについては、コピーされた用紙が排出トレイ２３ｂ、パンチ孔が開けられていない原稿４１ｂ、４１ｃについては、コピーされた用紙が異なる排出トレイ２３ｃに排出される。
【００４３】
図１１は、排出先が変更されて排出された用紙を示す図である。図１１を参照して、一段目の排出トレイ２３ａには、一枚目の原稿４１ａをコピーした用紙５１ａ、および四枚目の原稿４１ｄをコピーした用紙５１ｄが排出される。これらの用紙５１ａ、５１ｄには、パンチ処理部２４により、二つのパンチ孔５２ａ、５２ｂ、５３ａ、５３ｂがそれぞれ開孔されている。二段目の排出トレイ２３ｂには、五枚目の原稿４１ｅをコピーした用紙５１ｅが排出される。これらの用紙５１ｅには、パンチ処理部２４により、六つのパンチ孔５４ａ、５４ｂ、５４ｃ、５４ｄ、５４ｅ、５４ｆがそれぞれ開孔されている。三段目の排出トレイ２３ｃには、二枚目の原稿４１ｂをコピーした用紙５１ｂ、および三枚目の原稿４１ｃをコピーした用紙５１ｃが排出される。用紙５１ｂ、５１ｃには、パンチ孔は開孔されていない。このようにして、用紙５１ａ〜５１ｅが三つの排出トレイ２３ａ〜２３ｃにそれぞれ排出される。
【００４４】
なお、選択キー４８ｄが押下され、受け付け部３４が選択キー４８ｄの押下を検知していた場合には、いずれのパンチ処理かの選択を受け付ける（Ｓ２４において、ＹＥＳ、Ｓ３０）。このいずれのパンチ処理かの選択の受け付けは、選択キー４８ｄが押下されたことを検知した際に、次に表示画面２１に表れる図示しない設定画面によって受け付ける。そして、排出制御部３３により、全ての用紙５１ａ〜５１ｅが、例えば、一段目の排出トレイ２３ａに排出される。この時、選択されたパンチ処理で全ての用紙５１ａ〜５１ｅが一括してパンチ処理が施され、排出される（Ｓ３１）。
【００４５】
このような複合機１１によれば、複数の原稿のうち、判断部３１によりパンチ処理の跡があると判断された原稿については、画像形成部１５による画像形成の後にパンチ処理の跡に沿ってパンチ処理部２４によるパンチ処理を実行する。また、複数の原稿のうち、判断部３１によりパンチ処理の跡がないと判断された原稿については、画像形成部１５による画像形成の後にパンチ処理部２４によるパンチ処理を実行しないよう制御する。そうすると、パンチ処理がなされている原稿とパンチ処理がなされていない原稿とが混在していた場合にも、原稿の画像に基づいてパンチ処理の内容も含めて忠実に用紙に画像を形成することができる。この場合、予めユーザーが原稿の順序を入れ替えたりする必要はない。したがって、ユーザーの望む画像形成を効率的に行うことができる。
【００４６】
この場合、排出トレイ２３ａ〜２３ｆは、複数、具体体には六つ設けられており、パンチ処理部２４によりパンチ処理が実行された用紙５１ａ、５１ｃ、５１ｅと、パンチ処理部２４によりパンチ処理が実行されていない用紙５１ｂ、５１ｄとを異なる排出トレイ２３ａ〜２３ｆに排出するよう制御する排出制御部３３を備えるため、パンチ処理の有無で排出先を変更することができる。
【００４７】
また、この場合、排出制御部３３は、パンチ処理部２４によるパンチ処理の種類に応じて用紙を排出トレイ２３ａ〜２３ｆに排出するよう制御しているため、種類毎にパンチ処理がなされた用紙５１ａ〜５１ｅ毎に排出先を変更することができる。すなわち、二つのパンチ孔５２ａ、５２ｂ、５３ａ、５３ｂを開けるようパンチ処理された用紙５１ａ、５１ｄと六つのパンチ孔５４ａ〜５４ｆを開けるようパンチ処理された用紙５１ｅとを分けて排出することができる。
【００４８】
また、この場合、排出制御部３３による用紙の排出トレイ２３ａ〜２３ｆへの排出方法を受け付ける受け付け部３４をさらに備える構成である。そして、排出制御部３３は、受け付け部３４により受け付けられた排出トレイ２３ａ〜２３ｆへの排出方法に応じて、用紙を排出する。したがって、ユーザーの要求する排出方法に応じて排出先を変更することができる。
【００４９】
なお、上記の実施の形態においては、後処理部による後処理は、パンチ処理とすることとしたが、これに限らず、用紙にパンチ孔を開孔するパンチ処理、および複数の用紙をステープルで綴じるステープル処理のうちの少なくともいずれか一つを含む構成としてもよい。
【００５０】
また、上記の実施の形態においては、ＡＤＦ２２にセットされた原稿４１ａ〜４１ｅを読み取って用紙の画像を形成する場合について説明したが、これに限らず、載置台にセットされ連続で原稿４１ａ〜４１ｅが読み取られた場合において、この原稿４１ａ〜４１ｅの画像を基に、用紙に画像を形成する場合にも適用される。
【００５１】
なお、上記の実施の形態において、排出トレイ２３ａ〜２３ｆを一つだけ設ける構成としてもよい。この場合、原稿を読み取った順に排出するか、後処理の種類に応じて順序を変更して排出するかは、ユーザーの要求に応じて任意に定められる。
【００５２】
また、上記の実施の形態において、受け付け部３４による受け付けを行わず、パンチ処理がなされた原稿とパンチ処理がなされていない原稿とが混在した混在原稿を読み取った場合に予め設定されている処理方法、具体的には、例えば、パンチ処理が施された原稿のコピーとパンチ処理が施されていない原稿のコピーとを異なる排出トレイ２３ａ〜２３ｆに排出するよう制御し、さらにパンチ処理の種類毎に異なる排出トレイ２３ａ〜２３ｆに排出する処理を行うようにしてもよい。
【００５３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５４】
この発明に係る画像形成装置は、効率的なユーザーが望む画像形成が要求される場合に、特に有効に利用される。
【符号の説明】
【００５５】
１１  複合機、１２  制御部、１３  操作部、１４  画像読み取り部、１５  画像形成部、１６  給紙カセット、１７  ハードディスク、１８  ネットワークインターフェース部、１９  主記憶メモリ、２１  表示画面、２２  ＡＤＦ、２３ａ，２３ｂ，２３ｃ，２３ｄ，２３ｅ，２３ｆ  排出トレイ、２４  パンチ処理部、２６  スタートキー、３１  判断部、３２  パンチ処理実行制御部、３３  排出制御部、３４  受け付け部、４１ａ，４１ｂ，４１ｃ，４１ｄ，４１ｅ  原稿、４２ａ，４２ｂ，４３ａ，４３ｂ，４４ａ，４４ｂ，４４ｃ，４４ｄ，４４ｅ，４４ｆ，５２ａ，５２ｂ，５３ａ，５３ｂ，５４ａ，５４ｂ，５４ｃ，５４ｄ，５４ｅ，５４ｆ  パンチ孔、４６ａ，４６ｂ，４６ｃ，４６ｄ，４６ｅ，４６ｆ  メッセージ、４７ａ，４７ｂ，４７ｃ，４７ｄ，４７ｅ，４７ｆ，４８ａ，４８ｂ，４８ｃ，４８ｄ，４８ｅ，４８ｆ  選択キー、５１ａ，５１ｂ，５１ｃ，５１ｄ，５１ｅ  用紙。
【図１】
2018036493.tif 000003
【図２】
2018036493.tif 000004
【図３】
2018036493.tif 000005
【図４】
2018036493.tif 000006
【図５】
2018036493.tif 000007
【図６】
2018036493.tif 000008
【図７】
2018036493.tif 000009
【図８】
2018036493.tif 000010
【図９】
2018036493.tif 000011
【図１０】
2018036493.tif 000012
【図１１】
2018036493.tif 000013